(57)【要約】      （修正有）【課題】環状部の開閉の操作が行いやすく、環状部に掛着させた鍵等が外れにくく、かつ、高い美観を有する取付具を提供する。【解決手段】環２１の一部に開口２２が設けられた環状部２０と、環状部から延びる軸部材３０と、軸部材の軸方向に沿って軸部材に対して摺動移動可能に設けられた移動部材４０と、移動部材を軸部材の軸方向に沿って環状部側へ付勢可能な弾性力を有する弾性部材５０と、軸部材と移動部材とを覆うように設けられ、移動部材と一体となって移動可能となるように移動部材に脱着可能に取着される筒状部材６０と、を備え、筒状部材は、弾性部材の弾性力によって開口を閉じた第１状態と、弾性部材の弾性力に抗して移動部材とともに移動させることによって、環状部の開口が開いた第２状態と、を選択可能である。【選択図】図１
0003233004.tif 000002
【実用新案登録請求の範囲】
【請求項１】
環の一部に開口が設けられた環状部と、
前記環状部から延びる軸部材と、
前記軸部材の軸方向に沿って前記軸部材に対して摺動移動可能に設けられた移動部材と、
前記移動部材を前記軸部材の軸方向に沿って前記環状部側へ付勢可能な弾性力を有する弾性部材と、
前記軸部材と前記移動部材とを覆うように設けられ、前記移動部材と一体となって移動可能となるように前記移動部材に脱着可能に取着される筒状部材と、を備え、
前記筒状部材は、前記弾性部材の弾性力によって前記開口を閉じた第１状態と、前記弾性部材の弾性力に抗して前記移動部材とともに移動させることによって、前記環状部の前記開口が開いた第２状態と、を選択可能であることを特徴とする取付具。
【請求項２】
前記環状部の前記開口は、前記軸部材の軸方向において、前記軸部材の近傍に設けられている請求項１に記載の取付具。
【請求項３】
前記筒状部材は、前記第１状態において、前記開口を閉じるとともに、前記軸部材から見て前記開口から遠い範囲の前記環を露出させている請求項２に記載の取付具。
【請求項４】
前記筒状部材は、前記移動部材から脱離することで交換が可能である請求項１に記載の取付具。
【請求項５】
前記弾性部材は前記軸方向に沿って伸縮可能に配置されたコイルばねであって、前記コイルばねの一方の端部は前記移動部材に固定され、他方の端部は、前記軸部材において前記環状部から遠い側の端部に固定されている請求項１から請求項４のいずれか１項に記載の取付具。
【請求項６】
前記軸部材は、その軸方向の一方の端部に前記環状部を備え、他方の端部に第２の環状部を備える請求項１から請求項５のいずれか１項に記載の取付具。
【請求項７】
前記環状部、前記軸部材、前記移動部材、及び、前記筒状部材は、互いに同一の金属材料又は互いに同一の硬質樹脂材料で形成されている請求項１から請求項６のいずれか１項に記載の取付具。
【請求項８】
前記環状部と前記軸部材は一体的に成型される請求項７に記載の取付具。
【考案の詳細な説明】
【技術分野】
【０００１】
本考案は、例えば鍵やアクセサリーを掛着して保持するための取付具に関する。
【背景技術】
【０００２】
取付具として、例えば特許文献１や特許文献２のナスカンが提案されている。
特許文献１のナスカンは、ナスカン本体と、ナスカン本体に摺動自在に嵌挿された係止ピンと、ナスカン本体に配設されてナスカン本体の開口を閉鎖する方向に係止ピンを付勢するスプリングとから構成され、係止ピンの操作部がナスカン本体の基部正面側に形成されたスリットを通してその表面に沿って配置されるとともに、係止ピンのピン部がスプリングの付勢力によりナスカン本体のフック部に当接して開口を閉鎖する位置にあるとき、ナスカン本体の基部上端面よりも下方に配置される。
【０００３】
特許文献２のナスカンは、支柱部と開口部から成る基部と、基部の下方に設けられたフックと、支柱部の上方に設けられた吊り部と、支柱部の上部正面に突出して設けられた突出部と、下方をハンガー形状に形成したバネ部とから構成される。突出部の左右の側面には支持孔が形成されており、各支持孔にバネ部の上端が回動可能に挿入されている。支持孔は突出部の左右で上下の位置をずらしている。バネ部の上端が、夫々内向きに折り曲げられて突出部の各支持孔に係止される。バネ部の下端辺は、フックの先端の内側に付勢された状態で、フック先端内側に当接させ、フック上部を閉鎖する。そして、バネ部下方のハンガー形状に形成された押部を指で押すことにより、フック上部を開くことができる。
【先行技術文献】
【特許文献】
【０００４】
【特許文献１】意匠登録第１３２００７７号公報
【特許文献２】意匠登録第１４８９９８０号公報
【考案の概要】
【考案が解決しようとする課題】
【０００５】
本願の考案者らは、特許文献１・２のナスカンのほか各種の取付具を踏まえ、環状部の開閉の操作が行いやすく、環状部に掛着させた鍵等が外れにくく、かつ、高い美観を有する取付具を鋭意研究した結果、本願に係る取付具を考案するに至った。
【０００６】
そこで本考案は、環状部の開閉の操作が行いやすく、環状部に掛着させた鍵等が外れにくく、かつ、高い美観を有する取付具を提供することを目的とする。
【課題を解決するための手段】
【０００７】
上記課題を解決するために、本考案の取付具は、環の一部に開口が設けられた環状部と、環状部から延びる軸部材と、軸部材の軸方向に沿って軸部材に対して摺動移動可能に設けられた移動部材と、移動部材を軸部材の軸方向に沿って環状部側へ付勢可能な弾性力を有する弾性部材と、軸部材と移動部材とを覆うように設けられ、移動部材と一体となって移動可能となるように移動部材に脱着可能に取着される筒状部材と、を備え、筒状部材は、弾性部材の弾性力によって開口を閉じた第１状態と、弾性部材の弾性力に抗して移動部材とともに移動させることによって、環状部の開口が開いた第２状態と、を選択可能であることを特徴としている。
【０００８】
本考案の取付具において、環状部の開口は、軸部材の軸方向において、軸部材の近傍に設けられていることが好ましい。
【０００９】
本考案の取付具において、筒状部材は、第１状態において、開口を閉じるとともに、軸部材から見て開口から遠い範囲の環を露出させていることが好ましい。
【００１０】
本考案の取付具において、筒状部材は、移動部材から脱離することで交換が可能であることが好ましい
【００１１】
本考案の取付具において、弾性部材は軸方向に沿って伸縮可能に配置されたコイルばねであって、コイルばねの一方の端部は移動部材に固定され、他方の端部は、軸部材において環状部から遠い側の端部に固定されていることが好ましい。
【００１２】
本考案の取付具において、軸部材は、その軸方向の一方の端部に環状部を備え、他方の端部に第２の環状部を備えることが好ましい。
【００１３】
本考案の取付具において、環状部、軸部材、移動部材、及び、筒状部材は、互いに同一の金属材料又は互いに同一の硬質樹脂材料で形成されていることが好ましい。
【００１４】
本考案の取付具において、環状部と軸部材は一体的に成型されることが好ましい。
【考案の効果】
【００１５】
本考案によると、環状部の開閉の操作が行いやすく、環状部に掛着させた鍵等が外れにくく、かつ、高い美観を有する取付具を提供することができる。
【図面の簡単な説明】
【００１６】
【図１】本考案の実施形態に係る取付具において、環状部の開口が閉じた状態を示す側面図であって、（ａ）は外観構成を示す図、（ｂ）は内部構造を示す図である。
【図２】本考案の実施形態に係る取付具において、環状部の開口が開いた状態を示す側面図であって、（ａ）は外観構成を示す図、（ｂ）は内部構造を示す図である。
【図３】本考案の実施形態に係る取付具の使用例を示す斜視図である。
【考案を実施するための形態】
【００１７】
以下、本考案の実施形態に係る取付具について図面を参照しつつ詳しく説明する。
図１（ａ）、（ｂ）に示すように、本実施形態に係る取付具１０は、環状部２０と、軸部材３０と、移動部材４０と、弾性部材としてのコイルばね５０と、筒状部材６０と、第２の環状部７０と、を備える。
【００１８】
環状部２０は、鍵、アクセサリーその他の対象物の掛着部を開口２２から内部空間に挿入可能な環２１を備える。開口２２は環２１の一部に設けられており、その位置は限定されないが、軸部材３０の近傍に設けると、開口２２の開閉のための筒状部材６０の変位量を小さく抑えることができるととともに、開口２２から挿入された対象物の掛着部が、軸部材３０から遠い側で保持される。
【００１９】
環状部２０には軸部材３０が接続されている。軸部材３０は、その中心軸ＡＸに沿った軸方向に延びる軸材３３の一方の端部に、軸材３３と中心軸を共通とし、軸材３３よりも外径の大きな円板状の第１端部材３１を備える。軸部材３０は、第１端部材３１が、環状部２０の環２１と接続されることで、環状部２０に接合されている。環状部２０と軸部材３０は、金属材料又は硬質樹脂材料で構成されている。環状部２０と、第１端部材３１と、軸材３３と、は、互いに同一の材料で、一体的に成形されている。以上の構成により、高い形状精度で簡便に環状部２０と軸部材３０を製造することが可能となる。上記金属材料としては、例えば、アルミニウム、鉄のほか、ジュラルミン、ステンレスなどの金属合金も挙げられる。硬質樹脂材料としては、例えば、ポリカーボネート樹脂、ＡＢＳ樹脂、アクリル樹脂、塩化ビニル樹脂が挙げられる。
【００２０】
図１（ａ）、（ｂ）に示す例では、第１端部材３１の環状部２０側の先端面３１ａから上記開口２２が形成されている。開口２２の位置は図１（ａ）、（ｂ）に示す例には限定されないが、軸部材３０の近傍に配置すると、筒状部材６０の変位に応じて確実に開口２２を閉じることができる。さらに、開口２２を軸部材３０の近傍に配置することで、開口２２の開閉のための筒状部材６０の変位のストロークを短くできるため、使用者が容易に開閉動作を行うことができる。
【００２１】
軸部材３０には、中心軸ＡＸに沿った軸方向において、第１端部材３１とは反対側に第２端部材３２が設けられている。第２端部材３２は、軸材３３と中心軸を共通とし、第１端部材３１と同一の外径を有する円板状をなしている。第２端部材３２は、第１端部材３１及び軸材３３と同じ材料で形成される。第２端部材３２は、中心軸ＡＸの方向に沿って延びる不図示のねじ孔に軸材３３を螺合することによって軸材３３と一体化される。
【００２２】
軸材３３には、円環状の移動部材４０が、軸材３３と中心軸を共通にするように外挿される。移動部材４０は、その内周面が、軸材３３の外周面に対して摺動しつつ、軸部材３０の中心軸ＡＸに沿った軸方向に移動可能である。移動部材４０は、第１端部材３１及び第２端部材３２と同一の外径を有し、外周面に筒状部材６０を固定するためのねじ孔４１を有する。移動部材４０は、軸材３３との摺動に対する耐久性を有する材料で構成することが好ましく、環状部２０及び軸部材３０と同じ材料で構成することもできる。
【００２３】
軸材３３には、弾性部材としてのコイルばね５０が、軸材３３と中心軸を共通にするように外挿される。コイルばね５０は、移動部材４０よりも小さな外径を有し、中心軸ＡＸに沿った方向における両端部が、移動部材４０と第２端部材３２とにそれぞれ固定されている。実際の組み立てでは、まず、コイルばね５０の両端を移動部材４０と第２端部材３２とにそれぞれ固定し、次に、移動部材４０、コイルばね５０の順で軸材３３に対して外挿し、最後に、軸材３３に第２端部材３２を螺合固定する。移動部材４０は、コイルばね５０の弾性力によって、第１端部材３１に当接する方向、すなわち、中心軸ＡＸに沿って環状部２０側へ向かう方向へ、付勢される。
【００２４】
なお、上記弾性部材はコイルばね５０に限定されない。移動部材４０を第１端部材３１側へ付勢する弾性力を有するものであれば、例えば板バネであってもよい。また、第１端部材３１と移動部材４０の間に引張りばねを設けて移動部材４０が第１端部材３１側へ付勢されるようにしてもよい。
【００２５】
筒状部材６０は、環状部２０及び軸部材３０と中心軸を共通にする中空円筒形状を有し、その内周面の内径は、軸部材３０の第１端部材３１、第２端部材３２、及び、移動部材４０と摺動可能なサイズを有する。筒状部材６０は、厚み方向に貫通する孔部（不図示）を備え、この孔部に挿入されたねじ６１を、移動部材４０のねじ孔４１に螺合することによって、移動部材４０に固定される。これにより、筒状部材６０は、第１端部材３１、第２端部材３２、及び、移動部材４０を覆うように配置される。軸部材３０の中心軸ＡＸに沿った方向において、軸部材３０の第１端部材３１及び第２端部材３２と摺動しつつ，筒状部材６０を移動させると、筒状部材６０に固定された移動部材４０も一体となって移動する。
【００２６】
なお、図１（ａ）、（ｂ）に示す筒状部材６０の外形形状は、中心軸ＡＸに沿って見たときに円形であるが、軸部材３０の第１端部材３１、第２端部材３２、及び、移動部材４０と摺動可能な内周面を有していれば、これ以外の外形形状、例えば多角形であってもよい。
【００２７】
筒状部材６０は、第１端部材３１と第２端部材３２との摺動に対する耐久性を有する材料で構成することが好ましく、環状部２０及び軸部材３０と同じ材料で構成することもできる。また、取付具１０の美観を高めるために外周面に装飾を加えたり、鏡面仕上げとすることもできる。
【００２８】
図１（ａ）、（ｂ）に示すように、筒状部材６０に外力を加えない第１状態では、コイルばね５０の弾性力によって、移動部材４０及び筒状部材６０は、環状部２０側へ付勢されており、環状部２０の開口２２は筒状部材６０によって閉じている。
【００２９】
これに対して、使用者が筒状部材６０を操作することによって、図２（ａ）、（ｂ）に示すように、中心軸ＡＸに沿って、第２端部材３２側へ向かう方向Ｄに沿って筒状部材６０を移動させると、移動部材４０もコイルばね５０の弾性力に抗して移動する。このときの第２状態においては、開口２２は開いており、又は、露出しており、環２１の内部空間へ対象物の掛着部を挿入可能となる。掛着部の挿入後に、使用者が筒状部材６０に対する操作力を解除すると、コイルばね５０の弾性力によって、移動部材４０と筒状部材６０は環状部２０側へ変位するため、開口２２が閉じられた第１状態へ復帰する。このとき、軸部材３０から見て開口２２から遠い範囲の環２１が筒状部材６０から露出し、この部分で掛着部が保持される。このため、第１状態においては、環状部２０に掛着させた鍵等の対象物が外れにくくなる。このように取付具１０においては、筒状部材６０の移動によって、第１状態と第２状態を容易に選択可能となっている。
【００３０】
図１（ａ）、（ｂ）と図２（ａ）、（ｂ）に示すように、第２端部材３２には、開口を有さない第２の環状部７０が固定されている。この構成によれば、図３に例示するように、第２の環状部７０を、ストラップ８２を介して、手提げ鞄８０の持ち手部８１に取り付けることができる。一方、環状部２０に挿入したリング材８３を介して鍵８４が保持され、取付具１０によって、手提げ鞄８０に鍵８４が取り付けられる。
【００３１】
筒状部材６０は、ねじ６１の螺合を解除することによって、移動部材４０及び軸部材３０から脱離することができるため、簡便に交換、清掃、メンテナンス等を行うことができる。さらに、筒状部材６０を外すことによってコイルばね５０が露出するため、コイルばね５０の調整、交換等も容易に行うことができる。
【００３２】
本実施形態の取付具１０では、筒状部材６０を中心軸ＡＸに沿った方向に移動させることで開口２２を開閉するため、環状部２０の開口２２の開閉操作が行いやすくなっており、さらに、従来のナスカン等のように、掛着部を挿入環内へ入り込むレバーがないため、環状部２０の環２１の内部の空間を有効に使うことができる。
【００３３】
筒状部材６０の外面の形状や装飾の変更の自由度が高いため、外面や装飾の変更によって取付具１０の全体的な美観を容易に高めることができる。
本考案について上記実施形態を参照しつつ説明したが、本考案は上記実施形態に限定されるものではなく、改良の目的または本考案の思想の範囲内において改良または変更が可能である。
【符号の説明】
【００３４】
１０    取付具
２０    環状部
２１    環
２２    開口
３０    軸部材
３１    第１端部材
３１ａ  第１端部材の先端面
３２    第２端部材
３３    軸材
４０    移動部材
４１    ねじ孔
５０    コイルばね（弾性部材）
６０    筒状部材
６１    ねじ
７０    第２の環状部
８０    鞄
８１    持ち手部
８２    ストラップ
８３    リング材（掛着部）
８４    鍵（対象物）
ＡＸ    軸部材の中心軸
Ｄ      第２端部材側への方向
【図１】
0003233004.tif 000003
【図２】
0003233004.tif 000004
【図３】
0003233004.tif 000005